(57)【要約】【課題】  フラワーアレンジメントを服装の飾りとする装身具を提供する。【解決手段】  装身具１０１は、フラワーアレンジメントを有する装飾体１０と、装飾体１０を着脱自在に支持する支持体２０と、を有している。装飾体１０は、複数本の花材３と、これら花材３の根元が挿されることにより、花材３をフラワーアレンジメントとする基材１と、基材１に保持された磁石７と、を有している。支持体２０は、磁石７と吸引し合う別の磁石２１を有し、それにより装飾体１０を着脱自在に支持し、使用者の首、手首、又は腕に回して装着することが可能な帯体２５をさらに有している。【選択図】図１
2017140260.tif 000002
【特許請求の範囲】
【請求項１】
フラワーアレンジメントを有する装飾体と、
前記装飾体を着脱自在に支持する支持体と、を備え、
前記装飾体は、
複数本の花材と、
前記複数本の花材の根元が挿されることにより、前記複数本の花材を前記フラワーアレンジメントとする基材と、
前記基材に保持された磁石と、を有し、
前記支持体は、前記磁石と吸引し合う別の磁石を有し、それにより前記装飾体を着脱自在に支持し、使用者の首、手首、又は腕に回して装着することが可能な帯体又は紐体をさらに有する装身具。
【請求項２】
フラワーアレンジメントを有する装飾体と、
前記装飾体を着脱自在に支持する支持体と、を備え、
前記装飾体は、
複数本の花材と、
前記複数本の花材の根元が挿されることにより、前記複数本の花材を前記フラワーアレンジメントとする基材と、
前記基材に保持された磁石と、を有し、
前記支持体は、前記磁石と吸引し合う別の磁石を有し、それにより前記装飾体を、衣服の服地を通して着脱自在に支持する装身具。
【請求項３】
前記基材は保水性である、請求項１又は２に記載の装身具。
【請求項４】
前記装飾体は、前記基材の表面のうち前記複数の花材の根元を挿すべき領域以外を、前記磁石とともに覆う布地又はレース地を、さらに有する、請求項１から３のいずれかに記載の装身具。
【発明の詳細な説明】
【技術分野】
【０００１】
本発明は、フラワーアレンジメントを配置した装身具に関する。
【背景技術】
【０００２】
従来、結婚式等の晴れの場において、複数本の花を帯等で束ねた花束を衣服の胸ポケットに挿して、アクセサリーとすることが行われている。しかし複数本の花を、束ねるのではなく、生け花のように配置したフラワーアレンジメントを、服装の飾りとして、衣服あるいは手首等の身体の一部に装着することは容易ではなく、装身具の業界において、そのような装身具は、着想そのものが存してはいなかった。なお、フラワーアレンジメントを室内の壁面等に装着する室内装飾品については、特許文献１及び２に開示される技術が知られている。
【先行技術文献】
【特許文献】
【０００３】
【特許文献１】実開平７−３８１３０号公報
【特許文献２】実開平４−１２９７２号公報
【発明の概要】
【発明が解決しようとする課題】
【０００４】
本発明は上記の問題点に鑑みてなされたもので、フラワーアレンジメントを服装の飾りとする装身具を提供することを目的とする。
【課題を解決するための手段】
【０００５】
上記課題を解決し上記目的を達成するために、本発明のうち第１の態様によるものは、装身具であって、フラワーアレンジメントを有する装飾体と、前記装飾体を着脱自在に支持する支持体と、を備えている。前記装飾体は、複数本の花材と、前記複数本の花材の根元が挿されることにより、前記複数本の花材を前記フラワーアレンジメントとする基材と、前記基材に保持された磁石と、を有している。前記支持体は、前記磁石と吸引し合う別の磁石を有し、それにより前記装飾体を着脱自在に支持し、使用者の首、手首、又は腕に回して装着することが可能な帯体又は紐体をさらに有している。
【０００６】
この構成によれば、支持体の帯体又は紐体を、例えば衣服の上から、使用者の首、手首、又は腕に回して装着しておき、磁気的吸引力により装飾体を支持体に吸着させることにより、装飾体を衣服に装着することができる。それにより、フラワーアレンジメントを服装の飾りとすることができる。装飾体は磁力により着脱自在に支持体に支持されるので、複数の装飾体を準備することにより、支持体を交換することなく、フラワーアレンジメントを、場面に応じて瞬時に別のフラワーアレンジメントに取り替えることも可能である。なお本発明において、「花材」はフラワーアレンジメントの素材とされるものであり、花だけでなく葉なども含み、生きた素材だけでなく、造花など人工の素材をも含む概念として用いる。また、「首に回して装着する」の語句は、首に回して首に吊り下げることをも含む意味として用いる。
【０００７】
本発明のうち第２の態様によるものは、第１の態様による装身具であって、フラワーアレンジメントを有する装飾体と、前記装飾体を着脱自在に支持する支持体と、を備えている。前記装飾体は、複数本の花材と、前記複数本の花材の根元が挿されることにより、前記複数本の花材を前記フラワーアレンジメントとする基材と、前記基材に保持された磁石と、を有している。前記支持体は、前記磁石と吸引し合う別の磁石を有し、それにより前記装飾体を、衣服の服地を通して着脱自在に支持する。
【０００８】
この構成によれば、支持体を衣服の裏又はポケットの裏などに配置し、衣服の表又はポケットの表などから、磁気的吸引力により装飾体を支持体に吸着させることにより、装飾体を衣服の表又はポケットの表などに装着することができる。それにより、フラワーアレンジメントを服飾の飾りとすることができる。装飾体は磁力により着脱自在に支持体に支持されるので、複数の装飾体を準備することにより、支持体を交換することなく、フラワーアレンジメントを、場面に応じて瞬時に別のフラワーアレンジメントに取り替えることも可能である。
【０００９】
本発明のうち第３の態様によるものは、第１又は第２の態様による装身具であって、前記基材は保水性である。
この構成によれば、基材に水を保持させることにより、生きた花材を長時間にわたって使用することができる。
【００１０】
本発明のうち第４の態様によるものは、第１から第３の何れかの態様による装身具であって、前記装飾体は、前記基材の表面のうち前記複数の花材の根元を挿すべき領域以外を、前記磁石とともに覆う布地又はレース地を、さらに有している。
【００１１】
この構成によれば、布地又はレース地により、複数の花材の根元を挿すべき領域、すなわち、これらの根元により隠れる領域を除く基材の表面が、むき出しとならないので、装身具全体の美観が損なわれない。
【発明の効果】
【００１２】
以上のように本発明によれば、フラワーアレンジメントを服装の飾りとする装身具が実現する。
【図面の簡単な説明】
【００１３】
【図１】本発明の一実施の形態による装身具の一部を例示する正面写真である。
【図２】図１の装身具の構成を示す図であり、（ａ）は装身具が有する装飾体を背面斜めから見た斜視図であり、（ｂ）は装身具が有する支持体を略正面から見た略正面図である。
【図３】図１の装身具の断面構成を示す断面図であり、（ａ）は装身具が有する装飾体、（ｂ）は装身具が有する支持体を示している。
【図４】本発明の別の実施の形態による装身具が有する支持体の構成を例示する略正面図である。
【発明を実施するための形態】
【００１４】
図１〜図３は、本発明の一実施の形態による装身具の構成を示す写真及び図面である。この装身具１０１は、互いに着脱自在である、装飾体１０と支持体２０とを有している。図１は装身具１０１の一部を示す正面写真であり、そのうち、図２（ａ）は装飾体１０を背面斜めから見た斜視図であり、図２（ｂ）は支持体２０を略正面から見た略正面図である。また、図３は、装身具１０１の断面構成を示す断面図であり、そのうち図３（ａ）は装飾体１０、図３（ｂ）は支持体２０の断面構造を示している。
【００１５】
装飾体１０は、基材１を有している。基材１は、複数の花材３の根元を挿すことができ、それにより花材３を支持するブロック状の部材である。図１〜図３の例では、基材１は略直方体をなす。基材１は、例えば保水性の柔軟な樹脂、例えばウレタンフォームを材料とする。基材１が保水性を有する場合には、基材１に水を含ませることにより、花材３として生きた花材を用い、長時間にわたって生き生きとした状態に維持することが可能となる。基材１は生け花の剣山のように、複数の花材を根元において支持し、それらの花材を、生け花のように配置されたフラワーアレンジメントとすることを可能にする。
【００１６】
基材１の表面は、正面の大半領域すなわち花材３の根元が挿されるべき領域、を除いて布地又はレース地によって覆われる。基材１の表面のうち、花材３の根元が挿されるべき領域、すなわち花材３の根元で隠れる領域以外が、むき出しとなることによって、装身具１０１の美観が損なわれることを、これらの布地又はレース地により防ぐことができる。図２及び図３には、レース地５を例示している。図３（ａ）に例示するように、花材３は、レース地５が有する空隙を通して基材１に挿すことも可能である。布地又はレース地５は、基材１とともに磁石７をも覆っており、それにより美観目的に加えて、基材１の背面に磁石７を保持する役割をも果たしている。磁石７は基材１に接着剤により接着されていてもよい。例示する磁石７は板状である。十分な強さの磁気的吸引力を得るために、磁石７はネオジム磁石であることが望ましい。
【００１７】
例示する支持体２０は、磁石７を磁気的吸引力により引きつける別の磁石２１を有している。例示する磁石２１は板状であり、望ましくはネオジム磁石である。磁石２１は、布の袋体２３の中に保持されている。袋体２３は環状であり、布製の帯体２５及び布製の装飾品２７を包むようにして、これらの帯体２５及び装飾品２７に縫い付けられている。例示する装飾品２７は、蝶ネクタイである。帯体２５は、使用者の首に掛けることができる長さであり、両端には、互いに着脱可能に連結するための留め具２９，３１が取り付けられている。また、帯体２５の中途には、長さを可変とするための金具３３が介挿されている。
【００１８】
装身具１０１を使用するには、支持体２０の帯体２５を使用者の首に巻き、留め具２９，３１を連結する。これにより、支持体２０が使用者の首に掛けられる。次に、金具３３の位置を調節することにより、帯体２５の長さを調節し、装飾品２７が、例えば蝶ネクタイを装着すべき襟元に位置するようにする。あるいは、先に帯体２５の長さを調節しておいて、その後に帯体２５を首に巻き、留め具２９，３１を連結してもよい。このとき、支持体２５は、磁石２１が保持される側（図２（ｂ）において手前側、図３（ｂ）において上面側）が正面を向くようにする。次に、装飾体１０を支持体２０に吸着させる。ずなわち、図３に例示する姿勢で、装飾体１０を支持体２０に近づけることにより、磁石７と磁石２１の磁気的吸引力により、装飾体１０を支持体２０に吸着させる。これにより、花材３によるフラワーアレンジメントを、襟元ないし胸元の装飾とすることができる。装飾品２７は、例えば、フラワーアレンジメントを引き立てたり、服飾として、より自然に見せたりする役割を果たす。
【００１９】
支持体２０を首に掛けたままで、装飾体１０を取り替えることも可能である。場面に応じて、異なる装飾体１０を即座に装うことができる。装身具１０１を、首から外すときには、以上の手順とは逆の手順により操作をするとよい。
【００２０】
図４は、本発明の別の実施の形態による装身具が有する支持体の構成を例示する略正面図である。図４（ａ）に例示する支持体４０は、支持体２０（図２など）において装飾品２７が除去され、袋体２３が帯体２５にのみ縫い付けられた形態をなしている。支持体４０は、支持体２０と同様に、装飾体１０を襟元ないし胸元に装うのに使用することができる。
【００２１】
図４（ａ）の帯体２５を短くすることにより、支持体４０を使用者の腕、手首などに巻くことも可能である。それにより、装飾体１０のフラワーアレンジメントを、腕、手首などに装着することが可能となる。
【００２２】
図４（ｂ）に例示する支持体５０は、支持体４０から、さらに帯体２５を除去し、しかも袋体４１を環状とせず、単に磁石２１を収納する袋とした形態をなしている。支持体４０を、スーツ等の裏に配置し、表から装飾体１０を吸着させたり、支持体５０をスーツ等の胸ポケットの裏に配置し、ポケットの表から装飾体１０を吸着させたりすることにより、花材３によるフラワーアレンジメントを、服装の飾りとすることができる。ネオジム磁石は吸引力が強いため、スーツの服地を通して、装飾体１０を支持体５０に吸着させることが可能である。
【００２３】
支持体２０、４０において、帯体２５に代えて、ロープ、鎖などの紐体を採用することも可能である。
【符号の説明】
【００２４】
１  基材；  花材  ３；  ５  レース地；  ７  磁石；  １０  装飾体；  ２０  支持体；  ２１  磁石；  ２３  袋体；  ２５  帯体；  ２７  装飾品；  ２９，３１  留め具；  ３３  金具；  ４０  支持体；  ４１  袋体；  ５０  支持体；  １０１  装身具
【図１】
2017140260.tif 000003
【図２】
2017140260.tif 000004
【図３】
2017140260.tif 000005
【図４】
2017140260.tif 000006